(57)【要約】【課題】ニュースリリースをジャーナリストに向けて配信する際に、ニュースリリースを配信するジャーナリストを選別する。【解決手段】ニュースリリースを配信レベルに応じて配信する配信サーバ３であって、ニュースリリースを、配信レベルに対応づけて記録するニュースリリース記録部３４と、ジャーナリストが配信を受けることができるニュースリリースの配信レベルの最高値である受領可能レベルを記録するジャーナリスト情報記録部３６と、ジャーナリスト情報記録部３６に記録された受領可能レベルを読み出し、受領可能レベル以下の配信レベルに対応するニュースリリースを、ニュースリリース記録部３４から読み出すニュースリリース読出部３８と、ニュースリリース読出部３８により読み出されたニュースリリースを、ジャーナリストの端末２に配信するニュースリリース配信部３９とを備える。【選択図】図２
2007316831.tif 000002
【特許請求の範囲】
【請求項１】
ニュースリリースを配信レベルに応じて配信するニュースリリース配信装置であって、
前記配信レベルが高くなるにしたがって、前記ニュースリリースの配信を受けるジャーナリストが限定されていき、
ニュースリリースを、前記配信レベルに対応づけて記録するニュースリリース記録手段と、
前記ジャーナリストが配信を受けることができる前記ニュースリリースの前記配信レベルの最高値である受領可能レベルを記録するジャーナリスト情報記録手段と、
前記ジャーナリスト情報記録手段に記録された前記受領可能レベルを読み出し、前記受領可能レベル以下の前記配信レベルに対応する前記ニュースリリースを、前記ニュースリリース記録手段から読み出すニュースリリース読出手段と、
前記ニュースリリース読出手段により読み出された前記ニュースリリースを、前記ジャーナリストの端末に配信するニュースリリース配信手段と、
を備えたニュースリリース配信装置。
【請求項２】
請求項１に記載のニュースリリース配信装置であって、
前記配信レベルおよび前記受領可能レベルは、０以上２５５以下の整数である、
ニュースリリース配信装置。
【請求項３】
請求項１に記載のニュースリリース配信装置であって、
前記ジャーナリスト情報記録手段は、さらに、
前記ジャーナリストが配信を受けることができる前記ニュースリリースの分類を記録し、
前記ニュースリリース読出手段は、前記ジャーナリスト情報記録手段に記録された前記ニュースリリースの分類に対応する前記ニュースリリースを、前記ニュースリリース記録手段から読み出す、
ニュースリリース配信装置。
【請求項４】
請求項１ないし３のいずれか一項に記載のニュースリリース配信装置であって、
前記ニュースリリースを入力するための端末の画面に、入力位置に応じて配信レベルが決定される入力欄を表示させる入力欄表示手段、
を備えたニュースリリース配信装置。
【請求項５】
ニュースリリースを配信レベルに応じて配信するニュースリリース配信方法であって、
前記配信レベルが高くなるにしたがって、前記ニュースリリースの配信を受けるジャーナリストが限定されていき、
ニュースリリースを、前記配信レベルに対応づけて記録するニュースリリース記録工程と、
前記ジャーナリストが配信を受けることができる前記ニュースリリースの前記配信レベルの最高値である受領可能レベルを記録するジャーナリスト情報記録工程と、
前記ジャーナリスト情報記録工程により記録された前記受領可能レベルを読み出し、前記受領可能レベル以下の前記配信レベルに対応する前記ニュースリリースを、前記ニュースリリース記録工程の記録内容から読み出すニュースリリース読出工程と、
前記ニュースリリース読出工程により読み出された前記ニュースリリースを、前記ジャーナリストの端末に配信するニュースリリース配信工程と、
を備えたニュースリリース配信方法。
【請求項６】
ニュースリリースを配信レベルに応じて配信するニュースリリース配信処理をコンピュータに実行させるためのプログラムであって、
前記配信レベルが高くなるにしたがって、前記ニュースリリースの配信を受けるジャーナリストが限定されていき、
ニュースリリースを、前記配信レベルに対応づけて記録するニュースリリース記録処理と、
前記ジャーナリストが配信を受けることができる前記ニュースリリースの前記配信レベルの最高値である受領可能レベルを記録するジャーナリスト情報記録処理と、
前記ジャーナリスト情報記録処理により記録された前記受領可能レベルを読み出し、前記受領可能レベル以下の前記配信レベルに対応する前記ニュースリリースを、前記ニュースリリース記録処理の記録内容から読み出すニュースリリース読出処理と、
前記ニュースリリース読出処理により読み出された前記ニュースリリースを、前記ジャーナリストの端末に配信するニュースリリース配信処理と、
をコンピュータに実行させるためのプログラム。
【請求項７】
ニュースリリースを配信レベルに応じて配信するニュースリリース配信処理をコンピュータに実行させるためのプログラムを記録したコンピュータによって読み取り可能な記録媒体であって、
前記配信レベルが高くなるにしたがって、前記ニュースリリースの配信を受けるジャーナリストが限定されていき、
ニュースリリースを、前記配信レベルに対応づけて記録するニュースリリース記録処理と、
前記ジャーナリストが配信を受けることができる前記ニュースリリースの前記配信レベルの最高値である受領可能レベルを記録するジャーナリスト情報記録処理と、
前記ジャーナリスト情報記録処理により記録された前記受領可能レベルを読み出し、前記受領可能レベル以下の前記配信レベルに対応する前記ニュースリリースを、前記ニュースリリース記録処理の記録内容から読み出すニュースリリース読出処理と、
前記ニュースリリース読出処理により読み出された前記ニュースリリースを、前記ジャーナリストの端末に配信するニュースリリース配信処理と、
をコンピュータに実行させるためのプログラムを記録したコンピュータによって読み取り可能な記録媒体。
【発明の詳細な説明】
【技術分野】
【０００１】
本発明は、法人（企業、諸団体、官公庁など）が、マルチメディア（映像、音声、画像）データを含むニュースリリースをジャーナリストに向けて配信する技術に関する。
【背景技術】
【０００２】
従来より、企業がニュースリリースを記者に向けて配信することが行われている。このような配信をシステム化する旨が特許文献１、特許文献２に記載されている。
【０００３】
【特許文献１】特開２００３−６７５１１号公報
【特許文献２】特開２００３−１９６４０９号公報
【発明の開示】
【発明が解決しようとする課題】
【０００４】
しかしながら、上記のようなシステムにおいては、ニュースリリースを配信する記者を選別するということに対応していない。例えば、記者の信頼度に応じて、ニュースリリースを配信するか否かを決定するということに対応していない。
【０００５】
そこで、本発明は、ニュースリリースをジャーナリストに向けて配信する際に、ニュースリリースを配信するジャーナリストを選別するといったことに対応することを課題とする。
【課題を解決するための手段】
【０００６】
本発明にかかるニュースリリース配信装置は、ニュースリリースを配信レベルに応じて配信するニュースリリース配信装置であって、前記配信レベルが高くなるにしたがって、前記ニュースリリースの配信を受けるジャーナリストが限定されていき、ニュースリリースを、前記配信レベルに対応づけて記録するニュースリリース記録手段と、前記ジャーナリストが配信を受けることができる前記ニュースリリースの前記配信レベルの最高値である受領可能レベルを記録するジャーナリスト情報記録手段と、前記ジャーナリスト情報記録手段に記録された前記受領可能レベルを読み出し、前記受領可能レベル以下の前記配信レベルに対応する前記ニュースリリースを、前記ニュースリリース記録手段から読み出すニュースリリース読出手段と、前記ニュースリリース読出手段により読み出された前記ニュースリリースを、前記ジャーナリストの端末に配信するニュースリリース配信手段とを備えるように構成される。
【０００７】
上記のように構成された、ニュースリリースを配信レベルに応じて配信するニュースリリース配信装置によれば、前記配信レベルが高くなるにしたがって、前記ニュースリリースの配信を受けるジャーナリストが限定されていく。
【０００８】
ニュースリリース記録手段は、ニュースリリースを、前記配信レベルに対応づけて記録する。ジャーナリスト情報記録手段は、前記ジャーナリストが配信を受けることができる前記ニュースリリースの前記配信レベルの最高値である受領可能レベルを記録する。ニュースリリース読出手段は、前記ジャーナリスト情報記録手段に記録された前記受領可能レベルを読み出し、前記受領可能レベル以下の前記配信レベルに対応する前記ニュースリリースを、前記ニュースリリース記録手段から読み出す。ニュースリリース配信手段は、前記ニュースリリース読出手段により読み出された前記ニュースリリースを、前記ジャーナリストの端末に配信する。
【０００９】
なお、本発明にかかるニュースリリース配信装置は、前記配信レベルおよび前記受領可能レベルは、０以上２５５以下の整数であるようにしてもよい。
【００１０】
なお、本発明にかかるニュースリリース配信装置は、前記ジャーナリスト情報記録手段は、さらに、前記ジャーナリストが配信を受けることができる前記ニュースリリースの分類を記録し、前記ニュースリリース読出手段は、前記ジャーナリスト情報記録手段に記録された前記ニュースリリースの分類に対応する前記ニュースリリースを、前記ニュースリリース記録手段から読み出すようにしてもよい。
【００１１】
なお、本発明にかかるニュースリリース配信装置は、前記ニュースリリースを入力するための端末の画面に、入力位置に応じて配信レベルが決定される入力欄を表示させる入力欄表示手段を備えるようにしてもよい。
【００１２】
本発明は、ニュースリリースを配信レベルに応じて配信するニュースリリース配信方法であって、前記配信レベルが高くなるにしたがって、前記ニュースリリースの配信を受けるジャーナリストが限定されていき、ニュースリリースを、前記配信レベルに対応づけて記録するニュースリリース記録工程と、前記ジャーナリストが配信を受けることができる前記ニュースリリースの前記配信レベルの最高値である受領可能レベルを記録するジャーナリスト情報記録工程と、前記ジャーナリスト情報記録工程により記録された前記受領可能レベルを読み出し、前記受領可能レベル以下の前記配信レベルに対応する前記ニュースリリースを、前記ニュースリリース記録工程の記録内容から読み出すニュースリリース読出工程と、前記ニュースリリース読出工程により読み出された前記ニュースリリースを、前記ジャーナリストの端末に配信するニュースリリース配信工程とを備えたニュースリリース配信方法である。
【００１３】
本発明は、ニュースリリースを配信レベルに応じて配信するニュースリリース配信処理をコンピュータに実行させるためのプログラムであって、前記配信レベルが高くなるにしたがって、前記ニュースリリースの配信を受けるジャーナリストが限定されていき、ニュースリリースを、前記配信レベルに対応づけて記録するニュースリリース記録処理と、前記ジャーナリストが配信を受けることができる前記ニュースリリースの前記配信レベルの最高値である受領可能レベルを記録するジャーナリスト情報記録処理と、前記ジャーナリスト情報記録処理により記録された前記受領可能レベルを読み出し、前記受領可能レベル以下の前記配信レベルに対応する前記ニュースリリースを、前記ニュースリリース記録処理の記録内容から読み出すニュースリリース読出処理と、前記ニュースリリース読出処理により読み出された前記ニュースリリースを、前記ジャーナリストの端末に配信するニュースリリース配信処理とをコンピュータに実行させるためのプログラムである。
【００１４】
本発明は、ニュースリリースを配信レベルに応じて配信するニュースリリース配信処理をコンピュータに実行させるためのプログラムを記録したコンピュータによって読み取り可能な記録媒体であって、前記配信レベルが高くなるにしたがって、前記ニュースリリースの配信を受けるジャーナリストが限定されていき、ニュースリリースを、前記配信レベルに対応づけて記録するニュースリリース記録処理と、前記ジャーナリストが配信を受けることができる前記ニュースリリースの前記配信レベルの最高値である受領可能レベルを記録するジャーナリスト情報記録処理と、前記ジャーナリスト情報記録処理により記録された前記受領可能レベルを読み出し、前記受領可能レベル以下の前記配信レベルに対応する前記ニュースリリースを、前記ニュースリリース記録処理の記録内容から読み出すニュースリリース読出処理と、前記ニュースリリース読出処理により読み出された前記ニュースリリースを、前記ジャーナリストの端末に配信するニュースリリース配信処理と、をコンピュータに実行させるためのプログラムを記録したコンピュータによって読み取り可能な記録媒体である。
【発明を実施するための最良の形態】
【００１５】
以下、本発明の実施形態を図面を参照しながら説明する。
【００１６】
図１は、本発明の実施形態にかかる情報システムの構成を示す図である。本発明の実施形態にかかる情報システムは、法人用端末１、ジャーナリスト用端末２、配信サーバ（ニュースリリース配信装置）３、インターネット４により構成される。
【００１７】
法人用端末１、ジャーナリスト用端末２および配信サーバ３は、インターネット４により接続される。
【００１８】
法人用端末１は、ニュースリリースを、インターネット４を介して、配信サーバ３に送信する。法人用端末１は、ニュースリリースを供給する法人（企業、諸団体、官公庁など）が使用する端末（例えば、パーソナルコンピュータ）である。
【００１９】
ジャーナリスト用端末２は、配信サーバ３からニュースリリースを受信する。ジャーナリスト用端末２は、ニュースリリースの配信を受けるジャーナリストが使用する端末（例えば、パーソナルコンピュータ）である。
【００２０】
配信サーバ（ニュースリリース配信装置）３は、法人用端末１から送信されてきたニュースリリースを記録する。さらに、配信サーバ（ニュースリリース配信装置）３は、記録するニュースリリースを配信レベルに応じてジャーナリスト用端末２に配信する。配信レベルは、例えば、０以上２５５以下の整数であり、配信レベルが高くなるにしたがって、ニュースリリースの配信を受けるジャーナリストが限定されていく。例えば、配信レベル０のニュースリリースの配信を受けるジャーナリストのなかでも一部のジャーナリストだけが配信レベル１２５のニュースリリースの配信を受けることができる。以下の説明では、配信レベルが０および１２５だけと仮定する。しかし、配信レベルは、０および１２５に限られるものではなく、他の色々な値をとるようにしてもよい。
【００２１】
さらに、例えば、配信レベルを、０、１２５および２５５とし、配信レベルを２５５とした場合は、いかなるジャーナリストにも配信しない、すなわち非公開とすることも考えられる。
【００２２】
図２は、法人用端末１、ジャーナリスト用端末２および配信サーバ（ニュースリリース配信装置）３の各々の構成を示す機能ブロック図である。
【００２３】
法人用端末１は、ニュースリリース入力部１２、配信設定部１４、ニュースリリース送信部１６を備える。
【００２４】
ニュースリリース入力部１２は、ニュースリリースを入力するためのものである。ニュースリリースは、マルチメディア（映像、音声、画像）データを含むものであるが、本実施形態では、説明の便宜上、文字データだけを含むものとしている。
【００２５】
配信設定部１４は、ニュースリリースの配信レベルを設定するためのものである。
【００２６】
ニュースリリース送信部１６は、ニュースリリース入力部１２からニュースリリースを受け、配信設定部１４から配信レベルを受ける。さらに、ニュースリリース送信部１６は、ニュースリリースを配信レベルに対応づけて送信する。
【００２７】
ニュースリリース入力部１２および配信設定部１４は、例えば、GUI(Graphic User Interface)により実現できる。
【００２８】
図３は、ニュースリリース入力部１２および配信設定部１４をGUIにより実現した一例を示す図である。法人用端末１がパーソナルコンピュータである場合、法人用端末１のディスプレイに、ウィンドウ１４０が表示される。ウィンドウ１４０には入力欄１４２ａ、１４２ｂ、１４４が表示される。入力欄１４２ａ、１４２ｂに入力された文字データは、配信レベル０のニュースリリースとなる。入力欄１４４に入力された文字データは、配信レベル１２５のニュースリリースとなる。このように、ウィンドウ１４０には、入力欄の位置に応じて配信レベルが決定される入力欄１４２ａ、１４２ｂ、１４４が表示されている。
【００２９】
図３（ａ）は、ウィンドウ１４０に入力欄１４２ａ、１４２ｂ、１４４が表示されている状態を示す図である。この状態で、入力欄１４２ａ、１４２ｂ、１４４の各々に、ニュースリリースとなる文字データを入力する。例えば、入力欄１４２ａ、１４２ｂ、１４４の各々に、カーソルをあわせて、キーボードから文字を入力していく。
【００３０】
図３（ｂ）は、ウィンドウ１４０に表示された入力欄１４２ａ、１４２ｂ、１４４に文字を入力した状態を示す図である。入力欄１４２ａには「我社は、…。」という文字データが、入力欄１４２ｂには「飛躍します。」という文字データが、入力欄１４４には「詳細は、…。」という文字データが入力されている。
【００３１】
入力欄１４２ａ、１４２ｂ、１４４に入力された文字データが、ニュースリリース入力部１２に与えられる。入力欄１４２ａ、１４２ｂ、１４４に対応づけられた配信レベルが配信設定部１４に与えられる。
【００３２】
ジャーナリスト用端末２は、配信要求部２２、配信受信部２４を備える。
【００３３】
配信要求部２２は、配信サーバ３にニュースリリースの配信を要求する。この際、配信要求部２２は、ジャーナリストIDを配信サーバ３に送信する。なお、ジャーナリストIDとは、ジャーナリストを識別するための番号（例えば、0001など）である。
【００３４】
配信受信部２４は、配信サーバ３から配信されてきたニュースリリースを受信し、あわせてジャーナリスト用端末２の画面に表示するものである。画面の表示内容については、後で説明する。
【００３５】
配信サーバ（ニュースリリース配信装置）３は、入力欄表示部３１、ニュースリリース受信部３２、ニュースリリース記録部３４、ジャーナリスト情報記録部３６、ニュースリリース読出部３８、ニュースリリース配信部３９を備える。
【００３６】
入力欄表示部３１は、図３に示すような画面を法人用端末１に表示させるためのものである。すなわち、入力欄表示部３１は、ニュースリリースを入力するための端末（すなわち、法人用端末１）の画面に、入力欄の位置に応じて配信レベルが決定される入力欄１４２ａ、１４２ｂ、１４４を表示させるためのものである。入力欄表示部３１は、インターネット４を介して、画面を表示させるための命令を法人用端末１に送信するプログラムである。端末に画面を表示させるためのプログラムは周知であるため、詳細な説明は省略する。
【００３７】
ニュースリリース受信部３２は、ニュースリリース送信部１６から、インターネット４を介して、配信レベルに対応づけられたニュースリリースを受信する。
【００３８】
ニュースリリース記録部３４は、ニュースリリース受信部３２から、配信レベルに対応づけられたニュースリリースを受けて記録する。
【００３９】
図４は、ニュースリリース記録部３４の記録内容の一例を示す図である。ただし、ニュースリリース送信部１６からは、図３に対応する内容のニュースリリースが送信されているものとする。図４を参照して、配信レベル０のニュースリリースとして、「我社は、…。」という文字データと、「飛躍します。」という文字データとが、ニュースリリース記録部３４に記録されている。さらに、配信レベル１２５のニュースリリースとして、「詳細は、…。」という文字データがニュースリリース記録部３４に記録されている。
【００４０】
なお、ニュースリリースのジャンル（分類）として「研究開発」がニュースリリース記録部３４に記録されている。ニュースリリースのジャンルは、配信サーバ３の管理者などが適宜、設定する。
【００４１】
ジャーナリスト情報記録部３６は、ジャーナリストが配信を受けることができるニュースリリースの配信レベルの最高値である受領可能レベルを記録する。受領可能レベルもまた、例えば、０以上２５５以下の整数である。
【００４２】
図５は、ジャーナリスト情報記録部３６の記録内容の一例を示す図である。図５を参照して、ジャーナリスト情報記録部３６は、ジャーナリストIDに対応づけて、受領可能レベルおよび配信を受けることができるニュースリリースのジャンルが記録されている。
【００４３】
図５を参照して、ジャーナリスト情報記録部３６は、例えば、ジャーナリストIDが0001のジャーナリストは、受領可能レベル０、配信を受けることができるニュースリリースのジャンルが研究開発である旨を記録している。
【００４４】
ニュースリリース読出部３８は、配信要求部２２からインターネット４を介して、配信要求部２２からジャーナリストIDを受信する。ニュースリリース読出部３８は、さらに、ジャーナリスト情報記録部３６から、受信したジャーナリストIDに対応づけられた受領可能レベルおよびジャンルを読み出す。
【００４５】
ニュースリリース読出部３８は、ジャーナリスト情報記録部３６から読み出したジャンルに対応付けられたニュースリリースを、ニュースリリース記録部３４から読み出す。
【００４６】
ただし、ニュースリリース読出部３８は、ジャーナリスト情報記録部３６から読み出した受領可能レベル以下の配信レベルに対応するニュースリリースを、ニュースリリース記録部３４から読み出す。
【００４７】
ニュースリリース配信部３９は、ニュースリリース読出部３８により読み出されたニュースリリースを、ジャーナリスト用端末２に配信する。ジャーナリスト用端末２は、配信を受けると、配信受信部２４により、ジャーナリスト用端末２の画面にニュースリリースを表示する。
【００４８】
図６は、ジャーナリスト用端末２の画面の一例を示す図である。図６（ａ）は、ジャーナリストID：0001のジャーナリスト用端末２の画面の一例を示し、図６（ｂ）は、ジャーナリストID：0002のジャーナリスト用端末２の画面の一例を示した図である。
【００４９】
図６（ａ）を参照し、例えば、ニュースリリース読出部３８が配信要求部２２からジャーナリストID：0001を受信したとする。
【００５０】
すると、ニュースリリース読出部３８は、ジャーナリスト情報記録部３６から、ジャーナリストID：0001に対応づけられた受領可能レベル：０およびジャンル：研究開発を読み出す（図５参照）。
【００５１】
ニュースリリース読出部３８は、ジャンル：研究開発に対応付けられたニュースリリース（図４参照）を、ニュースリリース記録部３４から読み出す。ただし、ニュースリリース読出部３８は、受領可能レベル：０以下の配信レベルに対応するニュースリリースを、ニュースリリース記録部３４から読み出す。よって、「我社は、…。」と、「飛躍します。」とが読み出され、「詳細は、…。」は読み出されない。
【００５２】
図６（ａ）に示すように、ジャーナリスト用端末２がパーソナルコンピュータである場合、ジャーナリスト用端末２のディスプレイに、ウィンドウ２４０が表示される。ウィンドウ２４０に表示された表示欄２４２ａ、２４２ｂには、それぞれ、「我社は、…。」と、「飛躍します。」とが表示される。
【００５３】
図６（ｂ）を参照し、例えば、ニュースリリース読出部３８が配信要求部２２からジャーナリストID：0002を受信したとする。
【００５４】
すると、ニュースリリース読出部３８は、ジャーナリスト情報記録部３６から、ジャーナリストID：0002に対応づけられた受領可能レベル：１２５およびジャンル：研究開発を読み出す（図５参照）。
【００５５】
ニュースリリース読出部３８は、ジャンル：研究開発に対応付けられたニュースリリース（図４参照）を、ニュースリリース記録部３４から読み出す。ただし、ニュースリリース読出部３８は、受領可能レベル：１２５以下の配信レベルに対応するニュースリリースを、ニュースリリース記録部３４から読み出す。よって、「我社は、…。」と、「飛躍します。」と、「詳細は、…。」とが読み出される。
【００５６】
図６（ｂ）に示すように、ジャーナリスト用端末２がパーソナルコンピュータである場合、ジャーナリスト用端末２のディスプレイに、ウィンドウ２４０が表示される。ウィンドウ２４０に表示された表示欄２４２ａ、２４２ｂ、２４４には、それぞれ、「我社は、…。」と、「飛躍します。」と、「詳細は、…。」とが表示される。
【００５７】
なお、ニュースリリース読出部３８が配信要求部２２からジャーナリストID：0003を受信した場合は、ニュースリリース読出部３８は、ジャーナリスト情報記録部３６から、ジャーナリストID：0003に対応づけられたジャンル：スポーツを読み出すことになる（図５参照）。ジャンル：スポーツに対応付けられたニュースリリースはニュースリリース記録部３４に記録されていないので、ニュースリリースは読み出されないことになる。
【００５８】
次に、本発明の実施形態の動作を説明する。
【００５９】
本発明の実施形態の動作は、（１）法人用端末１から配信サーバ３へのニュースリリースの記録、（２）配信サーバ３からジャーナリスト用端末２へのニュースリリースの配信、に分けられる。
【００６０】
（１）法人用端末１から配信サーバ３へのニュースリリースの記録
配信サーバ３の入力欄表示部３１から、インターネット４を介して、画面を表示させるための命令が、法人用端末１に送信されてくる。すると、法人用端末１のディスプレイに、図３（ａ）に示すようなウィンドウ１４０が表示される。法人用端末１のユーザは、配信レベルに応じて、入力欄１４２ａ、１４２ｂ、１４４に、図３（ｂ）に示すように、ニュースリリース（「我社は、…。」、「飛躍します。」および「詳細は、…。」）を入力していく。
【００６１】
入力欄１４２ａ、１４２ｂ、１４４に入力された文字データが、ニュースリリース入力部１２に与えられる。入力欄１４２ａ、１４２ｂ、１４４に対応づけられた配信レベルが配信設定部１４に与えられる。さらに、ニュースリリース送信部１６は、ニュースリリースを配信レベルに対応づけて送信する。
【００６２】
送信されたニュースリリースは、インターネット４を介して、ニュースリリース受信部３２により受信され、ニュースリリース記録部３４に記録される（図４参照）。なお、ニュースリリースのジャンル（分類）として「研究開発」がニュースリリース記録部３４に記録される。ニュースリリースのジャンルは、配信サーバ３の管理者などが適宜、設定する。
【００６３】
（２）配信サーバ３からジャーナリスト用端末２へのニュースリリースの配信
ジャーナリスト用端末２の配信要求部２２はジャーナリストIDを送信する。
【００６４】
ニュースリリース読出部３８は、配信要求部２２からインターネット４を介して、配信要求部２２からジャーナリストIDを受信する。ニュースリリース読出部３８は、さらに、ジャーナリスト情報記録部３６から、受信したジャーナリストIDに対応づけられた受領可能レベルおよびジャンルを読み出す（図５参照）。
【００６５】
例えば、ジャーナリストID：0001（0002）が送信されたとすれば、受領可能レベル：０（１２５）およびジャンル：研究開発が読み出される。
【００６６】
ニュースリリース読出部３８は、ジャーナリスト情報記録部３６から読み出したジャンル：研究開発に対応付けられたニュースリリースを、ニュースリリース記録部３４から読み出す。
【００６７】
ただし、ニュースリリース読出部３８は、ジャーナリスト情報記録部３６から読み出した受領可能レベル：０（１２５）以下の配信レベルに対応するニュースリリースを、ニュースリリース記録部３４から読み出す。
【００６８】
よって、図４を参照して、「我社は、…。」と、「飛躍します。」とが（「我社は、…。」、「飛躍します。」および「詳細は、…。」が）読み出される。
【００６９】
ニュースリリース配信部３９は、ニュースリリース読出部３８により読み出されたニュースリリースを、ジャーナリスト用端末２に配信する。ジャーナリスト用端末２は、配信を受けると、配信受信部２４により、ジャーナリスト用端末２の画面にニュースリリースを表示する（図６（ａ）、（ｂ）参照）。
【００７０】
本発明の実施形態によれば、ニュースリリースをジャーナリストに向けて配信する際に、ニュースリリースを配信するジャーナリストを選別するといったことに対応できる。すなわち、配信レベル１２５のニュースリリース「詳細は、…。」は、受領可能レベル１２５のジャーナリスト（ジャーナリストID：0002）にしか配信されず、受領可能レベル０のジャーナリスト（ジャーナリストID：0001）には配信されない、ここで、信頼度の高いジャーナリストに、より高い受領可能レベルを設定するなどして、ジャーナリストの信頼度に応じて、ニュースリリースを配信するか否かを決定することができる。
【００７１】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分を実現するプログラムを記録したメディアを読み取らせて、ハードディスクにインストールする。このような方法でも、上記の実施形態を実現できる。
【図面の簡単な説明】
【００７２】
【図１】本発明の実施形態にかかる情報システムの構成を示す図である。
【図２】法人用端末１、ジャーナリスト用端末２および配信サーバ（ニュースリリース配信装置）３の各々の構成を示す機能ブロック図である。
【図３】ニュースリリース入力部１２および配信設定部１４をGUIにより実現した一例を示す図である。
【図４】ニュースリリース記録部３４の記録内容の一例を示す図である。
【図５】ジャーナリスト情報記録部３６の記録内容の一例を示す図である。
【図６】ジャーナリスト用端末２の画面の一例を示す図である。
【符号の説明】
【００７３】
１  法人用端末
１４０  ウィンドウ
１４２ａ、１４２ｂ、１４４  入力欄
２  ジャーナリスト用端末
３  配信サーバ（ニュースリリース配信装置）
３１  入力欄表示部
３２  ニュースリリース受信部
３４  ニュースリリース記録部
３６  ジャーナリスト情報記録部
３８  ニュースリリース読出部
３９  ニュースリリース配信部
４  インターネット
【図１】
2007316831.tif 000003
【図２】
2007316831.tif 000004
【図３】
2007316831.tif 000005
【図４】
2007316831.tif 000006
【図５】
2007316831.tif 000007
【図６】
2007316831.tif 000008